(57)【要約】【課題】複数の撮像装置において取得されているコンテンツのうち、所望の撮像装置で取得されている所望のコンテンツを記録する。【解決手段】受信制御部７１は、ネットワークに接続された撮像装置において取得されているコンテンツのうちの、撮像されている動画像の画像データであるストリームであって、撮像装置のそれぞれから送信されてくるストリームの受信を制御し、表示制御部５２は、受信されているそれぞれのストリームによる、それぞれの動画像の表示を制御し、入力受付部５３は、複数の撮像装置のそれぞれにおいて取得されているコンテンツのそれぞれについての記録の指示を受け付け、記録制御部５５は、記録の指示されたコンテンツのデータであるコンテンツデータの記録を制御する。本発明は、例えば、デジタルビデオカメラに適用することができる。【選択図】図２
2008005199.tif 000002
【特許請求の範囲】
【請求項１】
複数の撮像装置とネットワークを介して接続される情報処理装置において、
前記撮像装置において取得されているコンテンツのうちの、撮像されている動画像の画像データであるストリームであって、前記撮像装置のそれぞれから送信されてくるストリームの受信を制御する受信制御手段と、
受信されているそれぞれの前記ストリームによる、それぞれの前記動画像の表示を制御する表示制御手段と、
複数の前記撮像装置のそれぞれにおいて取得されている前記コンテンツのそれぞれについての記録の指示を受け付ける受付手段と、
記録の指示された前記コンテンツのデータであるコンテンツデータの記録を制御する記録制御手段と
を備える情報処理装置。
【請求項２】
前記受付手段は、前記撮像装置において取得されているそれぞれの前記コンテンツのうちの、所定の種類の前記コンテンツの記録の指示を受け付け、
前記記録制御手段は、指示された種類の前記コンテンツの前記コンテンツデータの記録を制御する
請求項１に記載の情報処理装置。
【請求項３】
前記コンテンツの種類は、動画像、静止画像、または音声である
請求項２に記載の情報処理装置。
【請求項４】
画像を撮像する撮像手段をさらに備え、
前記表示制御手段は、前記ストリームによる前記動画像とともに、自分自身が撮像した前記画像の表示を制御する
請求項１に記載の情報処理装置。
【請求項５】
受信されている前記ストリームから、指示された種類の前記コンテンツの前記コンテンツデータを作成する作成手段をさらに備え、
前記記録制御手段は、作成された前記コンテンツデータの記録を制御する
請求項３に記載の情報処理装置。
【請求項６】
作成された前記コンテンツデータが記録中であるか、または記録が終了したことの通知の、前記撮像装置への送信を制御する送信制御手段をさらに備える
請求項５に記載の情報処理装置。
【請求項７】
記録が指示された場合、前記コンテンツデータの要求の前記撮像装置への送信を制御する送信制御手段をさらに備え、
前記受信制御手段は、前記撮像装置から送信されてくる、前記撮像装置において要求に応じて記録または作成された前記コンテンツデータの受信を制御する
請求項３に記載の情報処理装置。
【請求項８】
前記送信制御手段は、前記コンテンツの種類が動画像または音声である場合、記録を開始するか、または終了する時刻を示す時間情報を含む要求の送信を制御する
請求項７に記載の情報処理装置。
【請求項９】
複数の撮像装置とネットワークを介して接続される情報処理装置の情報処理方法において、
前記撮像装置において取得されているコンテンツのうちの、撮像されている動画像の画像データであるストリームであって、前記撮像装置のそれぞれから送信されてくるストリームの受信を制御し、
受信されているそれぞれの前記ストリームによる、それぞれの前記動画像の表示を制御し、
複数の前記撮像装置のそれぞれにおいて取得されている前記コンテンツのそれぞれについての記録の指示を受け付け、
記録の指示された前記コンテンツのデータであるコンテンツデータの記録を制御する
ステップを含む情報処理方法。
【請求項１０】
複数の撮像装置とネットワークを介して接続される情報処理装置の情報処理をコンピュータに行わせるプログラムにおいて、
前記撮像装置において取得されているコンテンツのうちの、撮像されている動画像の画像データであるストリームであって、前記撮像装置のそれぞれから送信されてくるストリームの受信を制御し、
受信されているそれぞれの前記ストリームによる、それぞれの前記動画像の表示を制御し、
複数の前記撮像装置のそれぞれにおいて取得されている前記コンテンツのそれぞれについての記録の指示を受け付け、
記録の指示された前記コンテンツのデータであるコンテンツデータの記録を制御する
ステップを含むプログラム。
【発明の詳細な説明】
【技術分野】
【０００１】
本発明は、情報処理装置および方法、並びにプログラムに関し、特に、複数の撮像装置とネットワークを介して接続される情報処理装置および方法、並びにプログラムに関する。
【背景技術】
【０００２】
近年、デジタルスチルカメラ、カムコーダ（商標）、または携帯電話機等のモバイル機器同士が、IEEE(Institute of Electrical and Electronics Engineers)802.11a，IEEE802.11b、またはIEEE802.11gなどに準拠した無線LAN（Local Area Network）を用いてネットワークを形成し、お互いの機器同士で静止画像や動画像を交換するシステムが提案されている。
【０００３】
このような、ネットワークを介して複数の撮像装置が接続されたシステムにおいて、それぞれの撮像装置において撮像している映像を、他の撮像装置においてリアルタイムで閲覧しながら記録したいという要求が発生することが容易に考えられる。
【０００４】
そこで、複数のビデオカメラで撮影されている画像が、リアルタイムに他の機器に転送され、自分自身の撮像装置で撮影している映像と、複数の撮像装置で撮像されているそれぞれの映像とが表示され、そのうちの１つを選択して記録という方法が提案されている（例えば、特許文献１）。
【０００５】
また、ストリーミング受信している複数の映像のうちの１つを選択して視聴でき、どの映像をどのタイミングで選んだかを選択情報として保存し、その選択情報を送信サーバに送ることで、編集された映像が手元に届くようなサービスが提案されている（例えば、特許文献２参照）。
【０００６】
さらに、ストリーミング送信されているビデオカメラからの映像を受信側で再生している間に、任意の一場面の静止画像を記録する要求を送信側に送ると、送信側ではテープを一度巻き戻して、その場面の静止画像を抜き出して送るという方法もある（例えば、特許文献３参照）。
【０００７】
【特許文献１】特開２００５−２０３８５号公報
【特許文献２】特開２００５−１０１９８０号公報
【特許文献３】特開２００６−０１３７３９号公報
【発明の開示】
【発明が解決しようとする課題】
【０００８】
しかしながら、上述した方法では、複数の映像を同時に記録したり、それらの静止画像を記録したりすることはできない。また、これを実現するユーザインターフェースは提供されていない。
【０００９】
本発明は、このような状況に鑑みてなされたものであり、ネットワークに接続された複数の撮像装置において取得されているコンテンツのうち、所望の撮像装置で取得されている所望のコンテンツを記録することができるようにするものである。
【課題を解決するための手段】
【００１０】
本発明の一側面の情報処理装置は、複数の撮像装置とネットワークを介して接続される情報処理装置であって、前記撮像装置において取得されているコンテンツのうちの、撮像されている動画像の画像データであるストリームであって、前記撮像装置のそれぞれから送信されてくるストリームの受信を制御する受信制御手段と、受信されているそれぞれの前記ストリームによる、それぞれの前記動画像の表示を制御する表示制御手段と、複数の前記撮像装置のそれぞれにおいて取得されている前記コンテンツのそれぞれについての記録の指示を受け付ける受付手段と、記録の指示された前記コンテンツのデータであるコンテンツデータの記録を制御する記録制御手段とを備える。
【００１１】
前記受付手段には、前記撮像装置において取得されているそれぞれの前記コンテンツのうちの、所定の種類の前記コンテンツの記録の指示を受け付け、前記記録制御手段には、指示された種類の前記コンテンツの前記コンテンツデータの記録を制御させることができる。
【００１２】
前記コンテンツの種類は、動画像、静止画像、または音声とすることができる。
【００１３】
前記情報処理装置には、画像を撮像する撮像手段をさらに設け、前記表示制御手段には、前記ストリームによる前記動画像とともに、自分自身が撮像した前記画像の表示を制御させることができる。
【００１４】
前記情報処理装置には、受信されている前記ストリームから、指示された種類の前記コンテンツの前記コンテンツデータを作成する作成手段をさらに設け、前記記録制御手段には、作成された前記コンテンツデータの記録を制御させることができる。
【００１５】
前記情報処理装置には、作成された前記コンテンツデータが記録中であるか、または記録が終了したことの通知の、前記撮像装置への送信を制御する送信制御手段をさらに設けることができる。
【００１６】
前記情報処理装置には、記録が指示された場合、前記コンテンツデータの要求の前記撮像装置への送信を制御する送信制御手段をさらに設け、前記受信制御手段には、前記撮像装置から送信されてくる、前記撮像装置において要求に応じて記録または作成された前記コンテンツデータの受信を制御させることができる。
【００１７】
前記送信制御手段には、前記コンテンツの種類が動画像または音声である場合、記録を開始するか、または終了する時刻を示す時間情報を含む要求の送信を制御させることができる。
【００１８】
本発明の一側面の情報処理方法は、複数の撮像装置とネットワークを介して接続される情報処理装置の情報処理方法であって、前記撮像装置において取得されているコンテンツのうちの、撮像されている動画像の画像データであるストリームであって、前記撮像装置のそれぞれから送信されてくるストリームの受信を制御し、受信されているそれぞれの前記ストリームによる、それぞれの前記動画像の表示を制御し、複数の前記撮像装置のそれぞれにおいて取得されている前記コンテンツのそれぞれについての記録の指示を受け付け、記録の指示された前記コンテンツのデータであるコンテンツデータの記録を制御するステップを含む。
【００１９】
本発明の一側面のプログラムは、複数の撮像装置とネットワークを介して接続される情報処理装置の情報処理をコンピュータに行わせるプログラムであって、前記撮像装置において取得されているコンテンツのうちの、撮像されている動画像の画像データであるストリームであって、前記撮像装置のそれぞれから送信されてくるストリームの受信を制御し、受信されているそれぞれの前記ストリームによる、それぞれの前記動画像の表示を制御し、複数の前記撮像装置のそれぞれにおいて取得されている前記コンテンツのそれぞれについての記録の指示を受け付け、記録の指示された前記コンテンツのデータであるコンテンツデータの記録を制御するステップを含む。
【００２０】
本発明の一側面においては、前記撮像装置において取得されているコンテンツのうちの、撮像されている動画像の画像データであるストリームであって、前記撮像装置のそれぞれから送信されてくるストリームの受信が制御され、受信されているそれぞれの前記ストリームによる、それぞれの前記動画像の表示が制御され、複数の前記撮像装置のそれぞれにおいて取得されている前記コンテンツのそれぞれについての記録の指示が受け付けられ、記録の指示された前記コンテンツのデータであるコンテンツデータの記録が制御される。
【発明の効果】
【００２１】
以上のように、本発明の一側面によれば、ネットワークに接続された複数の撮像装置において撮像されている映像を表示することができる。また、本発明の一側面によれば、ネットワークに接続された複数の撮像装置において取得されているコンテンツのうち、所望の撮像装置で取得されている所望のコンテンツを記録することができる。
【発明を実施するための最良の形態】
【００２２】
以下に本発明の実施の形態を説明するが、本発明の構成要件と、明細書又は図面に記載の実施の形態との対応関係を例示すると、次のようになる。この記載は、本発明をサポートする実施の形態が、明細書又は図面に記載されていることを確認するためのものである。従って、明細書又は図面中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００２３】
本発明の一側面の情報処理装置は、複数の撮像装置とネットワークを介して接続される情報処理装置であって、前記撮像装置において取得されているコンテンツのうちの、撮像されている動画像の画像データであるストリームであって、前記撮像装置のそれぞれから送信されてくるストリームの受信を制御する受信制御手段（例えば、図２の受信制御部７１）と、受信されているそれぞれの前記ストリームによる、それぞれの前記動画像の表示を制御する表示制御手段（例えば、図２の表示制御部５２）と、複数の前記撮像装置のそれぞれにおいて取得されている前記コンテンツのそれぞれについての記録の指示を受け付ける受付手段（例えば、図２の入力受付部５３）と、記録の指示された前記コンテンツのデータであるコンテンツデータの記録を制御する記録制御手段（例えば、図２の記録制御部５５）とを備える。
【００２４】
前記受付手段には、前記撮像装置において取得されているそれぞれの前記コンテンツのうちの、所定の種類の前記コンテンツの記録の指示を受け付け（例えば、図１０のステップＳ３２１）、前記記録制御手段には、指示された種類の前記コンテンツの前記コンテンツデータの記録を制御させることができる（例えば、図１０のステップＳ３２３）。
【００２５】
前記情報処理装置には、画像を撮像する撮像手段（例えば、図２の撮像部３１）をさらに設け、前記表示制御手段には、前記ストリームによる前記動画像とともに、自分自身が撮像した前記画像の表示を制御させることができる（例えば、図３のステップＳ３２）。
【００２６】
前記情報処理装置には、受信されている前記ストリームから、指示された種類の前記コンテンツの前記コンテンツデータを作成する作成手段（例えば、図２のデータ作成部５４）をさらに設け、前記記録制御手段には、作成された前記コンテンツデータの記録を制御させることができる（例えば、図１０のステップＳ３２３）。
【００２７】
前記情報処理装置には、作成された前記コンテンツデータが記録中であるか、または記録が終了したことの通知の、前記撮像装置への送信を制御する送信制御手段（例えば、図２の送信制御部７２）をさらに設けることができる。
【００２８】
前記情報処理装置には、記録が指示された場合、前記コンテンツデータの要求の前記撮像装置への送信を制御する送信制御手段（例えば、図２の送信制御部７２）をさらに設け、前記受信制御手段には、前記撮像装置から送信されてくる、前記撮像装置において要求に応じて記録または作成された前記コンテンツデータの受信を制御させることができる（例えば、図１１のステップＳ３６５）。
【００２９】
前記送信制御手段には、前記コンテンツの種類が動画像または音声である場合、記録を開始するか、または終了する時刻を示す時間情報を含む要求の送信を制御させることができる（例えば、図１２のステップＳ４０２）。
【００３０】
本発明の一側面の情報処理方法は、複数の撮像装置とネットワークを介して接続される情報処理装置の情報処理方法であって、前記撮像装置において取得されているコンテンツのうちの、撮像されている動画像の画像データであるストリームであって、前記撮像装置のそれぞれから送信されてくるストリームの受信を制御し（例えば、図３のステップＳ３１）、受信されているそれぞれの前記ストリームによる、それぞれの前記動画像の表示を制御し（例えば、図３のステップＳ３２）、複数の前記撮像装置のそれぞれにおいて取得されている前記コンテンツのそれぞれについての記録の指示を受け付け（例えば、図１０のステップＳ３２１）、記録の指示された前記コンテンツのデータであるコンテンツデータの記録を制御する（例えば、図１０のステップＳ３２３）ステップを含む。
【００３１】
本発明の一側面のプログラムは、複数の撮像装置とネットワークを介して接続される情報処理装置の情報処理をコンピュータに行わせるプログラムであって、前記撮像装置において取得されているコンテンツのうちの、撮像されている動画像の画像データであるストリームであって、前記撮像装置のそれぞれから送信されてくるストリームの受信を制御し（例えば、図３のステップＳ３１）、受信されているそれぞれの前記ストリームによる、それぞれの前記動画像の表示を制御し（例えば、図３のステップＳ３２）、複数の前記撮像装置のそれぞれにおいて取得されている前記コンテンツのそれぞれについての記録の指示を受け付け（例えば、図１０のステップＳ３２１）、記録の指示された前記コンテンツのデータであるコンテンツデータの記録を制御する（例えば、図１０のステップＳ３２３）ステップを含む。
【００３２】
図１は、本発明の一実施の形態である撮像装置の例を示す図である。
【００３３】
撮像装置１１−１乃至１１−４は、有線または無線のLAN(Local Area Network)などのネットワーク１２を介して相互に接続され、予めお互いの認証を行う。例えば、撮像装置１１−１乃至１１−４がデジタルビデオカメラやデジタルスチルカメラなどである場合、ネットワーク１２は、無線LANにおける、アドホックネットワークとされる。また、例えば、ネットワーク１２は、アクセスポイントを用いたインフラストラクチャモードで動作する無線LANであってもよい。さらに、ネットワーク１２は、インターネットであってもよい。
【００３４】
図１において、撮像装置１１−１によって撮像され記録されている映像は、ネットワーク１２を介して接続されている撮像装置１１−２乃至１１−４に、例えばMotion-JPEG（Joint Photographic Experts Group）方式で符号化されたデータとして、リアルタイムに送信される。すなわち、撮像装置１１−１は、撮像している映像を撮像装置１１−２乃至１１−４にストリーミング送信する。送信される映像のデータであるストリームは、例えば、音声付きの映像のデータである。また、撮像される映像は、撮像装置１１−１によって記録されていなくてもよい。
【００３５】
以下、撮像装置１１−１乃至１１−４を個々に区別する必要がない場合、単に撮像装置１１と称する。
【００３６】
撮像装置１１−１と同様にして、撮像装置１１−２乃至１１−４は、撮像している映像を他の撮像装置１１にストリーミング送信する。また、送信方法は、マルチキャストであってもよいし、ユニキャストであってもよい。
【００３７】
ここで、ネットワーク１２が、無線LANなどのように、単位時間あたりに伝送できるデータのデータ量、すなわち帯域が比較的狭いLANなどからなり、ネットワーク１２の帯域に余裕がない場合、送信されるストリームは、本来の映像のデータよりも解像度やフレームレートが低い、いわゆる「サムネイル映像」であってもよい。例えば、撮像装置１１−１において記録されている映像の解像度がHD(High Definition)であり、その映像のフレームレートが60fps（Frame per second）であり、符号化方式がH.264/AVC（MPEG-4 Part 10 Advanced Video Coding）であった場合、ストリーミング送信される映像の解像度をQVGA(Quarter Video Graphics Array)とし、フレームレートを15fpsとし、符号化方式をMotion-JPEGとしてもよい。また、送信されるストリームが、音声付きの映像のデータである場合、トランスコードの処理において、例えば、音声がAAC（Advanced Audio Coding）やMPEG（Moving Picture Expert Group）-Layer2などの符号化方式で符号化されることによって、送信されるストリームがさらにビットレートの低いものとされるようにしてもよい。
【００３８】
さらに、図１において、撮像装置１１−１乃至１１−４のそれぞれは、自分自身以外の撮像装置１１から送信されてくるストリームを受信する。例えば、撮像装置１１−２は、撮像装置１１−１，１１−３および１１−４から送信されてくるストリームを受信する。
【００３９】
図２は、撮像装置１１の構成の例を示すブロック図である。
【００４０】
撮像装置１１は、撮像部３１、音声入出力部３２、操作入力部３３、表示部３４、記録部３５、制御部３６、ネットワークインターフェース３７（以下、ネットワークI/F（Interface）３７と称する）を含むように構成される。
【００４１】
また、撮像装置１１には、必要に応じてドライブ３８が接続される。ドライブ３８には、磁気ディスク、光ディスク、光磁気ディスク、または半導体メモリなどのリムーバブルメディア３９が適宜装着され、ドライブ３８は、制御部３６に制御されて、装着されているリムーバブルメディア３９から読み出されたコンピュータプログラムやデータを、必要に応じて記録部３５にインストールするか記録させる。
【００４２】
撮像部３１は、CCD（Charge Coupled Device）またはCMOS（Complementary Metal-Oxide Semiconductor）センサなどの光学的な映像を電気信号に変換する光電変換素子および光電変換素子に被写体の光学的な映像を結像させる光学系などからなり、制御部３６の制御の基に、被写体の映像を電気信号である映像信号に変換する。すなわち、撮像部３１は、制御部３６の制御の基に、被写体を撮像する。撮像部３１は、撮像の結果得られる映像信号を、制御部３６に供給する。
【００４３】
音声入出力部３２は、マイクロフォンおよびスピーカからなる。音声入出力部３２は、制御部３６の制御の基に、音声を取得して、音声の信号である音声信号を制御部３６に供給する。また、音声入出力部３２は、制御部３６の制御の基に、制御部３６から供給された音声信号に応じた音声を出力する。
【００４４】
操作入力部３３は、撮像装置１１に対する指示を入力するためにユーザに操作され、その操作内容を示す信号を制御部３６に供給する。操作入力部３３は、例えば、各種の操作ボタン、タッチパネル、キーボード、マウス、またはリモコンなどから構成される。
【００４５】
表示部３４は、例えば、LCD（Liquid Crystal Display）または有機EL（Electro Luminescence）などの表示デバイスからなり、制御部３６から供給される表示データに基づいて、各種の画像を表示する。
【００４６】
記録部３５は、例えば、ハードディスクドライブ、またはフラッシュメモリなどのランダムアクセスが可能な記録媒体からなる。これにより、例えばDV（Digital Video）テープなどでは不可能であった、複数ファイルへの同時のアクセスが可能となる。
【００４７】
制御部３６は、例えば、マイクロプロセッサなどからなり、撮像装置１１全体を制御する。制御部３６の詳細については、後述する。
【００４８】
ネットワークI/F３７は、ネットワーク１２を介して、各種のデータを送受信する。
【００４９】
制御部３６は、コンピュータプログラムを実行することにより、通信制御部５１、表示制御部５２、入力受付部５３、データ作成部５４、記録制御部５５、時刻記録部５６、および時間情報付加部５７を実現する。
【００５０】
通信制御部５１は、ネットワークI/F３７による、ネットワーク１２を介した各種のデータの送信または受信を制御する。通信制御部５１は、受信制御部７１および送信制御部７２より構成される。
【００５１】
受信制御部７１は、ネットワークI/F３７の受信を制御する。すなわち、受信制御部７１は、ネットワークI/F３７に、ネットワーク１２を介して送信されてくる各種のデータを受信させ、ネットワークI/F３７から受信したデータを取得する。
【００５２】
例えば、受信制御部７１は、ネットワークI/F３７による、他の撮像装置１１から送信されてくるストリームの受信を制御する。受信制御部７１は、ネットワークI/F３７において受信されているストリームである映像のデータを表示制御部５２に供給する。
【００５３】
また、受信制御部７１は、ネットワークI/F３７による、他の撮像装置１１から送信されてくるストリームに対するコンテンツデータの記録の要求の受信を制御する。さらに、受信制御部７１は、ネットワークI/F３７による、他の撮像装置１１においてストリームに対するコンテンツデータが記録中であるか、または記録が終了したことの通知の受信を制御する。コンテンツデータについては、後述する。
【００５４】
送信制御部７２は、ネットワークI/F３７の送信を制御する。すなわち、送信制御部７２は、各種のデータをネットワークI/F３７に供給し、ネットワークI/F３７に、ネットワーク１２を介して各種のデータを送信させる。
【００５５】
例えば、送信制御部７２は、他の撮像装置１１への撮像している映像のストリームの送信を制御する。また、送信制御部７２は、ストリームに対するコンテンツデータの記録の要求の、他の撮像装置１１への送信を制御する。さらに、送信制御部７２は、コンテンツデータが記録中であるか、または記録が終了したことの通知の、他の撮像装置１１への送信を制御する。
【００５６】
表示制御部５２は、表示部３４の表示を制御する。例えば、表示制御部５２は、撮像部３１から供給される映像信号や通信制御部５１から供給される映像のデータを基に、映像を表示するための表示データを生成し、表示部３４に供給することで、表示部３４に、自分自身で撮像している映像とともに、他の撮像装置１１において撮像されている映像を表示させる。
【００５７】
例えば、撮像装置１１−２の表示制御部５２は、撮像装置１１−２が撮像している映像とともに、受信されている撮像装置１１−１，１１−３および１１−４からのストリームによる映像をそれぞれ表示部３４に表示させる。
【００５８】
入力受付部５３は、ユーザの操作に応じた操作入力部３３からの信号を取得することにより、ユーザの指示を受け付ける。例えば、入力受付部５３は、ユーザの操作によって入力された、他の撮像装置１１のそれぞれにおいて取得されているコンテンツのそれぞれについての記録の指示を受け付ける。より具体的には、入力受付部５３は、表示部３４に表示されている他の撮像装置１１からのストリームに対する、例えば、動画像、静止画像、または音声などの所定の種類のコンテンツの記録の指示を示す信号を、操作入力部３３から取得する。入力受付部５３は、所定の種類のコンテンツの記録の指示を示す信号を通信制御部５１またはデータ作成部５４に供給する。
【００５９】
データ作成部５４は、入力受付部５３からの指示に基づいて、通信制御部５１において受信されているストリームから、指示された種類のコンテンツのデータであるコンテンツデータを作成する。より具体的には、データ作成部５４は、受信されているストリームから、動画像のデータである動画像データ、静止画像のデータである静止画像データ、または音声のデータである音声データを作成する。
【００６０】
記録制御部５５は、記録の指示されたコンテンツデータの記録を制御する。すなわち、記録制御部５５は、他の撮像装置１１において撮像されている動画像である映像の動画像データ、他の撮像装置１１において撮像されている静止画像の静止画像データ、または他の撮像装置１１において取得されている音声の音声データの記録を制御する。より具体的には、例えば、記録制御部５５は、データ作成部５４において作成された動画像データ、静止画像データ、または音声データを記録部３５に記録させる。または、記録制御部５５は、他の撮像装置１１において記録または作成された動画像データ、静止画像データ、または音声データであって、ネットワーク１２を介して他の撮像装置１１から送信され、ネットワークI/F３７において受信され、通信制御部５１から供給された動画像データ、静止画像データ、または音声データを記録部３５に記録させる。
【００６１】
時刻記録部５６は、図示せぬリアルタイムクロックによりカウントされる現在時刻に基づいて、他の撮像装置１１から送信されてくる記録の開始の要求または記録の終了の要求を受信した時刻を記録する。
【００６２】
時間情報付加部５７は、記録を要求するストリームに対するコンテンツの種類が動画像または音声である場合、要求した時刻を基準として記録の開始の時刻を指定するか、または要求した時刻を基準として記録の終了の時刻を指定する情報を表す情報である時間情報を、送信される要求に付加する。ここで、時間情報は、例えば、他の撮像装置１１が記録の開始または終了の要求を受信した時刻から、どのくらい前の時刻に対する記録の開始または終了の要求であるかを表す情報である。
【００６３】
次に、図３のフローチャートを参照して、撮像装置１１における映像のストリームの送信および受信の処理について説明する。なお、以下、撮像装置１１−１におけるストリームの送信の処理、および撮像装置１１−２におけるストリームの受信の処理について説明するが、図１の撮像装置１１−１乃至１１−４においてストリームの送信および受信の処理が同様に実行される。
【００６４】
ステップＳ１１において、撮像装置１１−１の送信制御部７２は、撮像装置１１−１の撮像部３１によって撮像されている映像のストリームを、撮像装置１１−１のネットワークI/F３７に、ネットワーク１２を介して、撮像装置１１−２乃至１１−４へ送信させる。すなわち、撮像装置１１−１は、他の撮像装置１１へストリームを送信し、撮像装置１１−１の処理は終了する。
【００６５】
ステップＳ３１において、撮像装置１１−２の受信制御部７１は、撮像装置１１−１，１１−３および１１−４のそれぞれよりネットワーク１２を介して送信されてくるストリームを、撮像装置１１−２のネットワークI/F３７に受信させる。すなわち、撮像装置１１−２は、他の撮像装置１１からのストリームを受信する。撮像装置１１−２の受信制御部７１は、受信されたストリームを撮像装置１１−２の表示制御部５２に供給する。
【００６６】
ステップＳ３２において、撮像装置１１−２の表示制御部５２は、受信された撮像装置１１−１，１１−３および１１−４からのそれぞれのストリームの映像を撮像装置１１−２の表示部３４に表示させる。すなわち、撮像装置１１−２は、撮像装置ごとのストリームによる映像を表示する。また、撮像装置１１−２の撮像部３１が被写体を撮像している場合、撮像装置１１−２の表示制御部５２は、撮像装置１１−２の撮像部３１により撮像されている映像を撮像装置１１−２の表示部３４に表示させる。
【００６７】
ステップＳ３３において、撮像装置１１−２の表示制御部５２は、撮像装置１１−１，１１−３および１１−４からのそれぞれのストリームの映像ごとに、それぞれのストリームに対する所定の種類のコンテンツの記録の指示を入力するためのボタンを、表示部３４に表示させる。すなわち、撮像装置１１−２は、撮像装置ごとに、静止画像の記録のボタン、音声の記録のボタン、および動画像の記録のボタンを表示し、撮像装置１１−２の処理は終了する。
【００６８】
図４は、撮像装置１１−２により撮像されている映像、並びに撮像装置１１−１，１１−３および１１−４から送信されてくるストリームの映像を表示する、撮像装置１１−２の表示部３４の画面の例である。図４に示される表示部３４の画面には、ウィンドウ９１乃至９４、および静止画像表示部９５が配置される。
【００６９】
以下、撮像装置１１−１のユーザをユーザＡ、撮像装置１１−２のユーザをユーザＢ、撮像装置１１−３のユーザをユーザＣ、撮像装置１１−４のユーザをユーザＤと称する。
【００７０】
表示部３４の画面の左上に配置されるウィンドウ９１には、ユーザＢの操作によって撮像装置１１−２に撮像されている映像が表示される。表示部３４の画面の右上に配置されるウィンドウ９２には、ユーザＡの操作によって、撮像装置１１−１に撮像されている映像であって、撮像装置１１−１からのストリームによる映像が表示される。
【００７１】
また、表示部３４の画面において、ウィンドウ９２の下に配置されるウィンドウ９３には、ユーザＣの操作によって、撮像装置１１−３に撮像されている映像であって、撮像装置１１−３からのストリームによる映像が表示される。さらに、表示部３４の画面において、ウィンドウ９３の下に配置されるウィンドウ９４には、ユーザＤの操作によって、撮像装置１１−４に撮像されている映像であって、撮像装置１１−４からのストリームによる映像が表示される。
【００７２】
ウィンドウ９１は、ユーザＢのウィンドウである。ウィンドウ９１の上側には、自分自身、すなわち撮像装置１１−２において撮像されている映像が表示される。その映像の下方には、撮像装置１１−２のユーザであるユーザＢの顔写真が表示される。ユーザＢの顔写真は、記録部３５または制御部３６の内蔵メモリなどに予め記録されている。また、ユーザＢの顔写真の右側には、ユーザＢの入力に基づく撮像装置１１−２から他の撮像装置１１への、文字などからなる通知を表示する領域が設けられている。
【００７３】
ウィンドウ９１の下端には、「静止画」の記録のボタン、「音声」の記録のボタン、および「動画」の記録のボタンが表示される。「静止画」の記録のボタン、「音声」の記録のボタン、または「動画」の記録のボタンを、ユーザＢが指またはペンで押圧すると、表示部３４に重ねて設けられているタッチパネルである操作入力部３３から、押圧された「静止画」の記録のボタン、「音声」の記録のボタン、または「動画」の記録のボタンに応じた信号が制御部３６に供給される。すなわち、ユーザＢは、ウィンドウ９１に表示される「静止画」、「音声」、または「動画」のボタンを押圧することによって、撮像装置１１−２において撮像されている映像の静止画像または動画像としての記録の指示を撮像装置１１−２に入力するか、撮像装置１１−２において取得されている音声の記録の指示を撮像装置１１−２に入力する。
【００７４】
ウィンドウ９２は、ユーザＡのウィンドウである。ウィンドウ９２の右側には、撮像装置１１−１において撮像されている映像であって、撮像装置１１−１からのストリームによる映像が表示される。ウィンドウ９２の左側には、撮像装置１１−１のユーザであるユーザＡの顔写真が表示され、撮像装置１１−１から撮像装置１１−２への、文字などからなる通知を表示する領域が配置され、さらに「静止画」、「音声」、および「動画」の記録のボタンが表示される。ユーザＢは、ウィンドウ９２に表示される「静止画」、「音声」、または「動画」の記録のボタンを押圧することによって、撮像装置１１−１において撮像されている映像の静止画像または動画像としての記録の指示を撮像装置１１−２に入力するか、撮像装置１１−１において取得されている音声の記録の指示を撮像装置１１−２に入力する。
【００７５】
ウィンドウ９３は、ユーザＣのウィンドウである。ウィンドウ９３の右側には、撮像装置１１−３において撮像されている映像であって、撮像装置１１−３からのストリームによる映像が表示される。ウィンドウ９３の左側には、撮像装置１１−３のユーザであるユーザＣの顔写真が表示され、撮像装置１１−３から撮像装置１１−２への、文字などからなる通知を表示する領域が配置され、さらに「静止画」、「音声」、および「動画」の記録のボタンが表示される。ユーザＢは、ウィンドウ９３に表示される「静止画」、「音声」、または「動画」の記録のボタンを押圧することによって、撮像装置１１−３において撮像されている映像の静止画像または動画像としての記録の指示を撮像装置１１−２に入力するか、撮像装置１１−３において取得されている音声の記録の指示を撮像装置１１−２に入力する。
【００７６】
ウィンドウ９４は、ユーザＤのウィンドウである。ウィンドウ９４の右側には、撮像装置１１−４において撮像されている映像であって、撮像装置１１−４からのストリームによる映像が表示される。ウィンドウ９４の左側には、撮像装置１１−４のユーザであるユーザＤの顔写真が表示され、撮像装置１１−４から撮像装置１１−２への、文字などからなる通知を表示する領域が配置され、さらに「静止画」、「音声」、および「動画」の記録のボタンが表示される。ユーザＢは、ウィンドウ９４に表示される「静止画」、「音声」、または「動画」の記録のボタンを押圧することによって、撮像装置１１−４において撮像されている映像の静止画像または動画像としての記録の指示を撮像装置１１−２に入力するか、撮像装置１１−４において取得されている音声の記録の指示を撮像装置１１−２に入力する。
【００７７】
なお、ユーザＡ、ユーザＣ、およびユーザＤの顔写真は、記録部３５または制御部３６の内蔵メモリなどに予め記録されている。
【００７８】
静止画像表示部９５には、撮像装置１１−２に既に記録されている静止画像データによる静止画像または動画像データの代表画像である静止画像が表示される。
【００７９】
なお、撮像装置１１−１，１１−３，および１１−４の表示部３４の画面には、撮像装置１１−２の表示部３４の画面の画像と同様の画像が表示される。
【００８０】
このようにして、ユーザＢは、撮像装置１１−１乃至１１−４のそれぞれにおいて撮像されている映像を見ながら、撮像装置１１−１乃至１１−４のそれぞれにおいて撮像されている映像または撮像装置１１−１乃至１１−４のそれぞれにおいて取得されている音声に対して、静止画像、音声、動画像の記録の指示を撮像装置１１−２に入力することができる。
【００８１】
例えば、図５の例において、ユーザＢによって、ウィンドウ９１の「動画」の記録のボタンが押圧され、撮像装置１１−２自身が撮像している映像の動画像としての記録の指示が撮像装置１１−２に入力されている。撮像装置１１−２は、入力された指示に応じて、撮像装置１１−２自身が撮像している映像を動画像として記録する。図５の例において、ウィンドウ９１の「静止画」および「音声」のボタンは押圧されていない状態となっている。
【００８２】
また、図５の例において、ウィンドウ９２の「動画」の記録のボタンが押圧され、撮像装置１１−１が撮像している映像の動画像としての記録の指示が撮像装置１１−２に入力されている。撮像装置１１−２が、入力された指示に応じて、撮像装置１１−１に撮像されている映像を動画像として記録する。図５の例において、ウィンドウ９２の「静止画」および「音声」のボタンは押圧されていない状態となっている。
【００８３】
ウィンドウ９３乃至９４の「静止画」、「音声」、および「動画」の記録のボタンはいずれも押圧されておらず、撮像装置１１−３および１１−４が撮像している映像または撮像装置１１−３および１１−４が取得している音声に対する記録の指示は入力されていない。
【００８４】
さらに、撮像装置１１−３における、撮像装置１１−２によって撮像されている映像の静止画像としての記録の指示の入力に基づいて、撮像装置１１−３によって静止画像が記録された場合、ウィンドウ９３には、撮像装置１１−３からの撮像装置１１−２への通知に応じたメッセージである「写真いただき！」の文字が表示される。また、このとき、ウィンドウ９３に表示された文字とともに、撮像装置１１−３によって記録された静止画像が表示されるようにしてもよい。
【００８５】
なお、ウィンドウ９１乃至９４において、例えば、「音声」または「動画」の記録のボタンが一度押圧されると記録の開始の指示が入力され、再度押圧されると記録の終了の指示が入力されるようにしてもよい。
【００８６】
このようなユーザインターフェースにより、ユーザは、より簡単に、複数の撮像装置１１により撮像されている映像を静止画像または動画像として記録させるか、または複数の撮像装置１１により取得されている音声を記録させることができる。
【００８７】
以下、撮像装置１１における静止画像、音声、および動画像の記録の処理について説明する。
【００８８】
図６は、撮像装置１１−２における、撮像装置１１−１において撮像されている映像の静止画像としての記録の処理の例を示すフローチャートである。
【００８９】
ステップＳ１２１において、撮像装置１１−２の表示部３４に表示されているウィンドウ９２の「静止画」の記録のボタンが押圧されることによって、撮像装置１１−２の操作入力部３３は、静止画像の記録の指示を入力する。撮像装置１１−２の入力受付部５３は、ユーザの操作によって入力された、静止画像の記録の指示を受け付ける。より具体的には、撮像装置１１−２の入力受付部５３は、静止画像の記録の指示を示す信号、すなわちウィンドウ９２の「静止画」の記録のボタンが押圧されたことを示す信号を撮像装置１１−２の操作入力部３３から取得し、静止画像の記録の指示を示す信号を撮像装置１１−２のデータ作成部５４に供給する。
【００９０】
ステップＳ１２２において、撮像装置１１−２のデータ作成部５４は、撮像装置１１−２の入力受付部５３からの信号に基づいて、撮像装置１１−１からネットワーク１２を介して送信され、撮像装置１１−２のネットワークI/F３７において受信しているストリームから静止画像データを作成する。より具体的には、撮像装置１１−２のデータ作成部５４は、撮像装置１１−２の入力受付部５３からの信号を取得した瞬間に、そのとき撮像装置１１−２の表示部３４のウィンドウ９２に表示されている画像から、JPEG方式などにより符号化した静止画像データを作成する。なお、撮像装置１１−２のデータ作成部５４は、撮像装置１１−２の入力受付部５３からの信号を取得した時刻に、時間的に最も近いIピクチャを受信したストリームから抽出して、JPEG方式の静止画像データを作成するようにしても、ストリームを復号して得られたフレームのうち、時間的に最も近いフレームから、JPEG方式の静止画像データを作成するようにしてもよい。
【００９１】
ステップＳ１２３において、撮像装置１１−２の記録制御部５５は、撮像装置１１−２のデータ作成部５４において作成された静止画像データを撮像装置１１−２の記録部３５に記録させる。
【００９２】
ステップＳ１２４において、撮像装置１１−２の表示制御部５２は、記録された静止画像データを基に、静止画像を表示するための表示データを生成し、撮像装置１１−２の表示部３４に供給する。撮像装置１１−２の表示部３４は、供給された表示データに基づいて、静止画像を表示する。静止画像は、例えば、撮像装置１１−２の表示部３４の静止画像表示部９５に表示される。なお、記録された静止画像データに応じた静止画像を、１乃至３秒間など所定の期間、その静止画像を撮影した相手である撮像装置１１−１のウィンドウ９２に表示するようにしてもよい。
【００９３】
ステップＳ１２５において、撮像装置１１−２の送信制御部７２は、撮像装置１１−２の記録制御部５５における静止画像データの記録の処理に応じて、静止画像の記録が終了したことの通知を、撮像装置１１−２のネットワークI/F３７に、ネットワーク１２を介して、撮像装置１１−１へ送信させ、処理は終了する。
【００９４】
ステップＳ１０１において、撮像装置１１−１の受信制御部７１は、撮像装置１１−２よりネットワーク１２を介して送信されてきた静止画像の記録が終了したことの通知を、撮像装置１１−１のネットワークI/F３７に受信させる。撮像装置１１−１の受信制御部７１は、受信された通知を撮像装置１１−１の表示制御部５２に供給する。
【００９５】
ステップＳ１０２において、撮像装置１１−１の表示制御部５２は、撮像装置１１−１の受信制御部７１から供給された通知に基づいて、撮像装置１１−１の表示部３４のユーザＢのウィンドウに「写真いただき！」のメッセージを、例えば１乃至２秒間など所定の期間表示させ、処理は終了する。
【００９６】
このようにして、撮像装置１１−２は、撮像装置１１−１から受信しているストリームから、静止画像データを作成し、記録することができる。この場合、撮像装置１１−２は、より簡単な処理で、静止画像データを記録することができる。
【００９７】
ここで、例えば、受信している撮像装置１１−１からのストリームが「サムネイル映像」である場合、記録される静止画像データによる静止画像の画質は、「サムネイル映像」と同等かまたはそれ以下になってしまう。
【００９８】
次に、より高画質の静止画像の静止画像データの記録の処理について説明する。
【００９９】
図７は、撮像装置１１−２における、撮像装置１１−１において撮像されている映像の静止画像としての記録の処理の他の例を示すフローチャートである。
【０１００】
ステップＳ１６１において、撮像装置１１−２の表示部３４に表示されているウィンドウ９２の「静止画」の記録のボタンが押圧されることによって、撮像装置１１−２の操作入力部３３は、静止画像の記録の指示を入力する。撮像装置１１−２の入力受付部５３は、ユーザの操作によって入力された、静止画像の記録の指示を受け付ける。より具体的には、撮像装置１１−２の入力受付部５３は、撮像装置１１−２の操作入力部３３から取得した、静止画像の記録の指示を示す信号に基づいて、撮像装置１１−１に対する静止画像の記録の要求を示す情報を撮像装置１１−２の通信制御部５１に供給する。静止画像の記録の要求を示す情報には、例えば、静止画像の大きさや画質などユーザが所望する情報が含まれるようにしてもよい。
【０１０１】
ステップＳ１６２において、撮像装置１１−２の送信制御部７２は、撮像装置１１−１に対する静止画像の記録の要求を示す情報に基づいて、静止画像の記録の要求を、撮像装置１１−２のネットワークI/F３７に、ネットワーク１２を介して、撮像装置１１−１へ送信させる。
【０１０２】
ステップＳ１４１において、撮像装置１１−１の受信制御部７１は、撮像装置１１−２よりネットワーク１２を介して送信されてきた静止画像の記録の要求を、撮像装置１１−１のネットワークI/F３７に受信させる。撮像装置１１−１の受信制御部７１は、受信された静止画像の記録の要求を撮像装置１１−１の記録制御部５５に供給する。
【０１０３】
ステップＳ１４２において、撮像装置１１−１の記録制御部５５は、静止画像の記録の要求を取得した瞬間の、撮像装置１１−１の撮像部３１が撮像している映像を静止画像のデータである静止画像データとして、例えば、撮像装置１１−１の記録部３５のバッファなどに一時的に記録させる。
【０１０４】
ステップＳ１４３において、撮像装置１１−１の送信制御部７２は、一時的に記録された静止画像データを、撮像装置１１−１のネットワークI/F３７に、ネットワーク１２を介して、撮像装置１１−２へ送信させる。
【０１０５】
ステップＳ１６３において、撮像装置１１−２の受信制御部７１は、撮像装置１１−１よりネットワーク１２を介して送信されてきた静止画像データを、撮像装置１１−２のネットワークI/F３７に受信させる。撮像装置１１−２の受信制御部７１は、受信された静止画像データを撮像装置１１−２の記録制御部５５に供給する。
【０１０６】
ステップＳ１６４において、撮像装置１１−２の記録制御部５５は、供給された静止画像データを撮像装置１１−２の記録部３５に記録させる。
【０１０７】
ステップＳ１６５において、撮像装置１１−２の表示制御部５２は、記録された静止画像データを基に、静止画像を表示するための表示データを生成し、撮像装置１１−２の表示部３４に供給する。撮像装置１１−２の表示部３４は、供給された表示データに基づいて、静止画像を表示し、撮像装置１１−２における処理は終了する。静止画像は、例えば、撮像装置１１−２の表示部３４の静止画像表示部５５に表示される。
【０１０８】
一方、ステップＳ１４３において、撮像装置１１−１が撮像装置１１−２に静止画像データを送信した後、撮像装置１１−１における処理は、ステップＳ１４４に進む。
【０１０９】
ステップＳ１４４において、撮像装置１１−１の表示制御部５２は、撮像装置１１−２への静止画像データの送信に応じて、撮像装置１１−１の表示部３４のユーザＢのウィンドウに「写真いただき！」のメッセージを、例えば１乃至２秒間など所定の期間表示させ、処理は終了する。
【０１１０】
このようにして、撮像装置１１−２は、ストリームを送信してくる撮像装置１１−１に静止画像の記録の要求を送信することで、記録の要求に応じた撮像装置１１−１からの静止画像データを受信し、記録することができる。
【０１１１】
また、図７のフローチャートで示される処理の例の場合、図６のフローチャートで示される処理の例の場合と比較すると、静止画像の記録の指示の入力から静止画像の記録までに多少の遅延が生じるが、より高画質な静止画像データを記録することができる。
【０１１２】
以上のように、撮像装置１１は、受信しているストリームから得られる静止画像データを記録することができる。
【０１１３】
なお、図６の静止画像の記録の処理の例と、図７の静止画像の記録の処理の例とは、例えば、操作入力部３３からのモード選択を示す入力によって、モード選択されるようにしてもよい。より具体的には、例えば、それぞれのモードを示すボタンを設けて選択されるようにしたり、１つのボタンを設けて長押しされることでモードが選択されるようにしたりする。また、それぞれのモードは、複数の撮像装置１１が接続されるネットワークの帯域によって自動で選択されるようにしてもよい。
【０１１４】
また、ステップＳ１４３において送信される静止画像データは、JPEG方式など所定の方式で符号化されるようにしてもよい。さらに、ステップＳ１４３において、非圧縮の、いわゆるベースバンドの静止画像データが送信され、ステップＳ１６４において、JPEG方式など所定の方式で符号化し、符号化された静止画像データを記録するようにしてもよい。
【０１１５】
図８は、撮像装置１１−２における、撮像装置１１−１において撮像されている映像と共に取得されている音声の記録の処理の例を示すフローチャートである。
【０１１６】
ステップＳ２２１において、撮像装置１１−２の表示部３４に表示されているウィンドウ９２の「音声」の記録のボタンが押圧されることによって、撮像装置１１−２の操作入力部３３は、音声の記録の開始の指示を入力する。撮像装置１１−２の入力受付部５３は、ユーザの操作によって入力された、音声の記録の開始の指示を受け付ける。より具体的には、撮像装置１１−２の入力受付部５３は、音声の記録の開始の指示を示す信号、すなわちウィンドウ９２の「音声」の記録のボタンが押圧されたことを示す信号を撮像装置１１−２の操作入力部３３から取得し、音声の記録の開始の指示を示す信号を撮像装置１１−２のデータ作成部５４に供給する。
【０１１７】
ステップＳ２２２において、撮像装置１１−２のデータ作成部５４は、撮像装置１１−２の入力受付部５３からの信号に基づいて、撮像装置１１−１から受信しているストリームから音声データの作成を開始する。より具体的には、撮像装置１１−２のデータ作成部５４は、撮像装置１１−２の入力受付部５３からの信号を取得すると同時に、受信しているストリームから音声のみを抽出して音声データの作成を開始する。
【０１１８】
ステップＳ２２３において、撮像装置１１−２の記録制御部５５は、撮像装置１１−２のデータ作成部５４において作成が開始された音声データの記録を記録部３５に開始させる。
【０１１９】
ステップＳ２２４において、撮像装置１１−２の送信制御部７２は、撮像装置１１−２の記録制御部５５における音声データの記録の開始に応じて、音声の記録を開始したことの通知を、撮像装置１１−２のネットワークI/F３７に、ネットワーク１２を介して、撮像装置１１−１へ送信させる。
【０１２０】
ステップＳ２０１において、撮像装置１１−１の受信制御部７１は、撮像装置１１−２よりネットワーク１２を介して送信されてきた音声の記録を開始したことの通知を、撮像装置１１−１のネットワークI/F３７に受信させる。撮像装置１１−１の受信制御部７１は、受信された通知を撮像装置１１−１の表示制御部５２に供給する。
【０１２１】
ステップＳ２０２において、撮像装置１１−１の表示制御部５２は、撮像装置１１−１の受信制御部７１から供給された通知に基づいて、撮像装置１１−１の表示部３４のユーザＢのウィンドウに「音声記録中！」のメッセージを表示させる。
【０１２２】
一方、ステップＳ２２５において、撮像装置１１−２の表示部３４に表示されているウィンドウ９２の「音声」の記録のボタンが再度押圧されることによって、撮像装置１１−２の操作入力部３３は、音声の記録の終了の指示を入力する。撮像装置１１−２の入力受付部５３は、ユーザの操作によって入力された、音声の記録の終了の指示を受け付ける。より具体的には、撮像装置１１−２の入力受付部５３は、音声の記録の終了の指示を示す信号を撮像装置１１−２の操作入力部３３から取得し、音声の記録の終了の指示を示す信号を撮像装置１１−２のデータ作成部５４および記録制御部５５に供給する。
【０１２３】
ステップＳ２２６において、撮像装置１１−２の記録制御部５５は、撮像装置１１−２の入力受付部５３からの信号に基づいて、撮像装置１１−２のデータ作成部５４において作成された音声データの記録を撮像装置１１−２の記録部３５に終了させる。
【０１２４】
ステップＳ２２７において、撮像装置１１−２のデータ作成部５４は、撮像装置１１−２の記録制御部５５における音声データの記録の終了に応じて、音声データの作成を終了する。
【０１２５】
ステップＳ２２８において、撮像装置１１−２の送信制御部７２は、撮像装置１１−２の記録制御部５５における音声データの記録の終了に応じて、音声の記録を終了したことの通知を、撮像装置１１−２のネットワークI/F３７に、ネットワーク１２を介して、撮像装置１１−１へ送信させ、撮像装置１１−２における処理は終了する。
【０１２６】
ステップＳ２０３において、撮像装置１１−１の受信制御部７１は、撮像装置１１−２よりネットワーク１２を介して送信されてきた音声の記録が終了したことの通知を、撮像装置１１−１のネットワークI/F３７に受信させる。撮像装置１１−１の受信制御部７１は、受信された通知を撮像装置１１−１の表示制御部５２に供給する。
【０１２７】
ステップＳ２０４において、撮像装置１１−１の表示制御部５２は、撮像装置１１−１の受信制御部７１から供給された通知に基づいて、撮像装置１１−１の表示部３４のユーザＢのウィンドウに表示されている「音声記録中！」のメッセージを削除させ、撮像装置１１−１における処理は終了する。
【０１２８】
なお、上述の例において、受信しているストリームに音声が含まれていない場合、その音声データは作成または記録されない。
【０１２９】
また、例えば、撮像装置１１−２が音声の記録の開始の通知を送信してから、音声の記録の終了の通知を送信する間において、撮像装置１１−１から送信されてくるストリームにおける音質を上げるようにしてもよいし、さらに、画質を下げるようにしてもよい。
【０１３０】
このようにして、撮像装置１１−２は、撮像装置１１−１から受信しているストリームから、音声データを作成し、記録することができる。
【０１３１】
ここで、例えば、受信している撮像装置１１−１からのストリームが「サムネイル映像」である場合、記録される音声の音質は、「サムネイル映像」の音声と同等かまたはそれ以下になってしまう。
【０１３２】
次に、より音質の良い音声の音声データの記録の処理について説明する。
【０１３３】
図９は、撮像装置１１−２における、撮像装置１１−１において撮像されている映像と共に取得されている音声の記録の処理の他の例を示すフローチャートである。
【０１３４】
ステップＳ２６１において、撮像装置１１−２の表示部３４に表示されているウィンドウ９２の「音声」の記録のボタンが押圧されることによって、撮像装置１１−２の操作入力部３３は、音声の記録の開始の指示を入力する。撮像装置１１−２の入力受付部５３は、ユーザの操作によって入力された、音声の記録の開始の指示を受け付ける。より具体的には、撮像装置１１−２の入力受付部５３は、撮像装置１１−２の操作入力部３３から取得した、音声の記録の開始の指示を示す信号に基づいて、撮像装置１１−１に対する音声の記録の開始の要求を示す情報を、撮像装置１１−２の通信制御部５１に供給する。音声の記録の開始の要求を示す情報には、例えば、音声の音質などユーザが所望する情報が含まれるようにしてもよい。
【０１３５】
ステップＳ２６２において、撮像装置１１−２の送信制御部７２は、撮像装置１１−１に対する音声の記録の開始の要求を示す情報に基づいて、音声の記録の開始の要求を、撮像装置１１−２のネットワークI/F３７に、ネットワーク１２を介して、撮像装置１１−１へ送信させる。
【０１３６】
ステップＳ２４１において、撮像装置１１−１の受信制御部７１は、撮像装置１１−２よりネットワーク１２を介して送信されてきた音声の記録の開始の要求を、撮像装置１１−１のネットワークI/F３７に受信させる。撮像装置１１−１の受信制御部７１は、受信された音声の記録の開始の要求を撮像装置１１−１の記録制御部５５に供給する。
【０１３７】
ステップＳ２４２において、撮像装置１１−１の記録制御部５５は、撮像装置１１−１において撮像されている映像を記録しているか否かを判定する。
【０１３８】
ステップＳ２４２において、撮像されている映像が記録されていないと判定された場合、処理は、ステップＳ２４３に進む。
【０１３９】
ステップＳ２４３において、撮像装置１１−１の記録制御部５５は、音声の記録の開始の要求を取得したと同時に、撮像装置１１−１の撮像部３１が撮像している映像に含まれる音声のデータである音声データの記録を撮像装置１１−１の記録部３５に開始させる。
【０１４０】
ステップＳ２４４において、撮像装置１１−１の表示制御部５２は、撮像装置１１−１の記録制御部７１における音声データの記録の開始に応じて、撮像装置１１−１の表示部３４のユーザＢのウィンドウに「音声記録中！」のメッセージを表示させる。
【０１４１】
撮像装置１１−１における音声の記録の処理は、撮像装置１１−２からの記録の終了の要求を受信するまで続けられる。
【０１４２】
ステップＳ２６３において、撮像装置１１−２の表示部３４に表示されているウィンドウ９２の「音声」の記録のボタンが再度押圧されることによって、撮像装置１１−２の操作入力部３３は、音声の記録の終了の指示を入力する。撮像装置１１−２の入力受付部５３は、ユーザの操作によって入力された、音声の記録の終了の指示を受け付ける。より具体的には、撮像装置１１−２の入力受付部５３は、撮像装置１１−２の操作入力部３３から取得した、音声の記録の終了の指示を示す信号に基づいて、撮像装置１１−１に対する音声の記録の終了の要求を示す情報を、撮像装置１１−２の通信制御部５１に供給する。
【０１４３】
ステップＳ２６４において、撮像装置１１−２の送信制御部７２は、撮像装置１１−１に対する音声の記録の終了の要求を示す情報に基づいて、音声の記録の終了の要求を、撮像装置１１−２のネットワークI/F３７に、ネットワーク１２を介して、撮像装置１１−１へ送信させる。
【０１４４】
ステップＳ２４５において、撮像装置１１−１の受信制御部７１は、撮像装置１１−２よりネットワーク１２を介して送信されてきた音声の記録の終了の要求を、撮像装置１１−１のネットワークI/F３７に受信させる。撮像装置１１−１の受信制御部７１は、受信された音声の記録の終了の要求を撮像装置１１−１の記録制御部５５に供給する。
【０１４５】
ステップＳ２４６において、撮像装置１１−１の記録制御部５５は、音声の記録の終了の要求に基づいて、音声データの記録を撮像装置１１−１の記録部３５に終了させる。撮像装置１１−１の記録制御部５５は、作成された音声データを撮像装置１１−１の通信制御部５１に供給する。ステップＳ２４６の後、処理は、ステップＳ２５２に進む。
【０１４６】
一方、ステップＳ２４２において、撮像されている映像が記録されていると判定された場合、処理は、ステップＳ２４７に進む。
【０１４７】
ステップＳ２４７において、撮像装置１１−１の時刻記録部５６は、撮像装置１１−１のネットワークI/F３７が音声の記録の開始の要求を受信した時刻である記録開始時刻を記録する。
【０１４８】
ステップＳ２４８において、撮像装置１１−１の表示制御部５２は、撮像装置１１−１のネットワークI/F３７の音声の記録の開始の要求の受信に応じて、撮像装置１１−１の表示部３４のユーザＢのウィンドウに「音声記録中！」のメッセージを表示させる。
【０１４９】
ステップＳ２４９において、撮像装置１１−１の受信制御部７１は、上述したステップＳ２６４を実行する撮像装置１１−２よりネットワーク１２を介して送信されてきた音声の記録の終了の要求を、撮像装置１１−１のネットワークI/F３７に受信させる。
【０１５０】
ステップＳ２５０において、撮像装置１１−１の時刻記録部５６は、撮像装置１１−１のネットワークI/F３７が音声の記録の終了の要求を受信した時刻である記録終了時刻を記録する。
【０１５１】
ステップＳ２５１において、撮像装置１１−１の記録制御部５５は、撮像装置１１−１の時刻記録部５６に記録されている記録開始時刻および記録終了時刻に基づいて、撮像装置１１−１の記録部３５に記録されている映像から、記録開始時刻から記録終了時刻までの音声の音声データを抽出する。撮像装置１１−１の記録制御部５５は、抽出された音声データを撮像装置１１−１の通信制御部５１に供給する。
【０１５２】
ステップＳ２５２において、撮像装置１１−１の送信制御部７２は、ステップＳ２４６において作成された音声データ、またはステップＳ２５１において抽出された音声データを、撮像装置１１−１のネットワークI/F３７に、ネットワーク１２を介して、撮像装置１１−２へ送信させる。
【０１５３】
ステップＳ２６５において、撮像装置１１−２の受信制御部７１は、撮像装置１１−１よりネットワーク１２を介して送信されてきた音声データを、ネットワークI/F３７に受信させる。撮像装置１１−２の受信制御部７１は、受信された音声データを撮像装置１１−２の記録制御部５５に供給する。
【０１５４】
ステップＳ２６６において、撮像装置１１−２の記録制御部５５は、供給された音声データを記録部３５に記録させ、撮像装置１１−２における処理は終了する。
【０１５５】
一方、ステップＳ２５２において、撮像装置１１−１が撮像装置１１−２に音声データを送信した後、撮像装置１１−１における処理は、ステップＳ２５３に進む。
【０１５６】
ステップＳ２５３において、撮像装置１１−１の表示制御部５２は、撮像装置１１−２への音声データの送信に応じて、撮像装置１１−１の表示部３４のユーザＢのウィンドウに表示されていた「音声記録中！」のメッセージを削除させ、処理は終了する。
【０１５７】
このようにして、撮像装置１１−２は、ストリームを送信してくる撮像装置１１−１に音声の記録の要求を送信することで、記録の要求に応じた撮像装置１１−１からの音声データを受信し、記録することができる。
【０１５８】
また、図９のフローチャートで示される処理の例の場合、図８のフローチャートで示される処理の例の場合と比較すると、音声の記録の開始または終了の指示の入力から音声データの記録の開始または終了までに多少の遅延が生じるが、より高音質な音声データを記録することができる。
【０１５９】
以上のように、撮像装置１１は、受信しているストリームから得られる音声データを記録することができる。
【０１６０】
なお、図８の音声の記録の処理の例と、図９の音声の記録の処理の例とは、例えば、操作入力部３３からのモード選択を示す入力によって、モード選択されるようにしてもよい。より具体的には、例えば、それぞれのモードを示すボタンを設けて選択されるようにしたり、１つのボタンを設けて長押しされることでモードが選択されるようにしたりする。また、それぞれのモードは、複数の撮像装置１１が接続されるネットワークの帯域によって自動で選択されるようにしてもよい。
【０１６１】
また、ステップＳ２５２において送信される音声データは、ATRAC（Adaptive TRansform Acoustic Coding）（商標）方式など所定の方式で符号化されるようにしてもよい。さらに、ステップＳ２５２において、非圧縮の、いわゆるベースバンドの音声データが送信され、ステップＳ２６６において、ATRAC方式など所定の方式で符号化し、符号化された音声データを記録するようにしてもよい。
【０１６２】
図１０は、撮像装置１１−２における、撮像装置１１−１において撮像されている映像の動画像としての記録の処理の例を示すフローチャートである。
【０１６３】
ステップＳ３２１において、撮像装置１１−２の表示部３４に表示されているウィンドウ９２の「動画」の記録のボタンが押圧されることによって、撮像装置１１−２の操作入力部３３は、動画像の記録の開始の指示を入力する。撮像装置１１−２の入力受付部５３は、ユーザの操作によって入力された、動画像の記録の開始の指示を受け付ける。より具体的には、撮像装置１１−２の入力受付部５３は、動画像の記録の開始の指示を示す信号、すなわちウィンドウ９２の「動画」の記録のボタンが押圧されたことを示す信号を撮像装置１１−２の操作入力部３３から取得し、動画像の記録の開始の指示を示す信号を撮像装置１１−２のデータ作成部５４に供給する。
【０１６４】
ステップＳ３２２において、撮像装置１１−２のデータ作成部５４は、撮像装置１１−２の入力受付部５３からの信号に基づいて、撮像装置１１−１から受信しているストリームから動画像データの作成を開始する。より具体的には、撮像装置１１−２のデータ作成部５４は、撮像装置１１−２の入力受付部５３からの信号を取得すると同時に、受信しているストリームから動画像データの作成を開始する。
【０１６５】
ステップＳ３２３において、撮像装置１１−２の記録制御部５５は、撮像装置１１−２のデータ作成部５４において作成された動画像データの記録を記録部３５に開始させる。
【０１６６】
ステップＳ３２４において、撮像装置１１−２の送信制御部７２は、撮像装置１１−２の記録制御部５５における動画像データの記録の開始に応じて、動画像の記録を開始したことの通知を、撮像装置１１−２のネットワークI/F３７に、ネットワーク１２を介して、撮像装置１１−１へ送信させる。
【０１６７】
ステップＳ３０１において、撮像装置１１−１の受信制御部７１は、撮像装置１１−２よりネットワーク１２を介して送信されてきた動画像の記録を開始したことの通知を、撮像装置１１−１のネットワークI/F３７に受信させる。撮像装置１１−１の受信制御部７１は、受信された通知を撮像装置１１−１の表示制御部５２に供給する。
【０１６８】
ステップＳ３０２において、撮像装置１１−１の表示制御部５２は、撮像装置１１−１の受信制御部７１から供給された通知に基づいて、撮像装置１１−１の表示部３４のユーザＢのウィンドウに「動画記録中！」のメッセージを表示させる。
【０１６９】
一方、ステップＳ３２５において、撮像装置１１−２の表示部３４に表示されているウィンドウ９２の「動画」の記録のボタンが再度押圧されることによって、撮像装置１１−２の操作入力部３３は、動画像の記録の終了の指示を入力する。撮像装置１１−２の入力受付部５３は、ユーザの操作によって入力された、動画像の記録の終了の指示を受け付ける。より具体的には、撮像装置１１−２の入力受付部５３は、動画像の記録の終了の指示を示す信号を撮像装置１１−２の操作入力部３３から取得し、動画像の記録の終了の指示を示す信号を撮像装置１１−２のデータ作成部５４に供給する。
【０１７０】
ステップＳ３２６において、撮像装置１１−２の記録制御部５５は、撮像装置１１−２の入力受付部５３からの信号に基づいて、撮像装置１１−２のデータ作成部５４において作成された動画像データの記録を撮像装置１１−２の記録部３５に終了させる。
【０１７１】
ステップＳ３２７において、撮像装置１１−２のデータ作成部５４は、撮像装置１１−２の記録制御部５５における動画像データの記録の終了に応じて、動画像データの作成を終了する。
【０１７２】
ステップＳ３２８において、撮像装置１１−２の表示制御部５２は、記録された動画像データを基に、動画像データを代表する静止画像である代表画像を表示するための表示データを生成し、撮像装置１１−２の表示部３４に供給する。撮像装置１１−２の表示部３４は、供給された表示データに基づいて、動画像データの代表画像を表示する。動画像データの代表画像は、例えば、撮像装置１１−２の表示部３４の静止画像表示部５５に表示される。また、撮像装置１１−２の表示部３４の静止画像表示部５５には、動画像データの代表画像だけでなく、その動画像自体が表示されるようにしてもよい。
【０１７３】
ステップＳ３２９において、撮像装置１１−２の送信制御部７２は、撮像装置１１−２の記録制御部５５における動画像データの記録の終了に応じて、動画像の記録を終了したことの通知を、撮像装置１１−２のネットワークI/F３７に、ネットワーク１２を介して、撮像装置１１−１へ送信させ、撮像装置１１−２における処理は終了する。
【０１７４】
ステップＳ３０３において、撮像装置１１−１の受信制御部７１は、撮像装置１１−２よりネットワーク１２を介して送信されてきた動画像の記録が終了したことの通知を、撮像装置１１−１のネットワークI/F３７に受信させる。撮像装置１１−１の受信制御部７１は、受信された通知を撮像装置１１−１の表示制御部５２に供給する。
【０１７５】
ステップＳ３０４において、撮像装置１１−１の表示制御部５２は、撮像装置１１−１の受信制御部７１から供給された通知に基づいて、撮像装置１１−１の表示部３４のユーザＢのウィンドウに表示されている「動画記録中！」のメッセージを削除させ、撮像装置１１−１における処理は終了する。
【０１７６】
このようにして、撮像装置１１−２は、撮像装置１１−１から受信しているストリームから、動画像データを作成し、記録することができる。
【０１７７】
ここで、例えば、受信している撮像装置１１−１からのストリームが「サムネイル映像」である場合、記録される動画像の画質および音質は、「サムネイル映像」と同等かまたはそれ以下になってしまう。
【０１７８】
次に、より高画質の動画像の動画像データの記録の処理について説明する。
【０１７９】
図１１は、撮像装置１１−２における、撮像装置１１−１において撮像されている映像の動画像としての記録の処理の他の例を示すフローチャートである。
【０１８０】
ステップＳ３６１において、撮像装置１１−２の表示部３４に表示されているウィンドウ９２の「動画」の記録のボタンが押圧されることによって、撮像装置１１−２の操作入力部３３は、動画像の記録の開始の指示を入力する。撮像装置１１−２の入力受付部５３は、ユーザの操作によって入力された、動画像の記録の開始の指示を受け付ける。より具体的には、撮像装置１１−２の入力受付部５３は、撮像装置１１−２の操作入力部３３から取得した、動画像の記録の開始の指示を示す信号に基づいて、撮像装置１１−１に対する動画像の記録の開始の要求を示す情報を、撮像装置１１−２の通信制御部５１に供給する。動画像の記録の開始の要求を示す情報には、例えば、動画像の画質または音質などユーザが所望する情報が含まれるようにしてもよい。
【０１８１】
ステップＳ３６２において、撮像装置１１−２の送信制御部７２は、撮像装置１１−１に対する動画像の記録の開始の要求を示す情報に基づいて、動画像の記録の開始の要求を、撮像装置１１−２のネットワークI/F３７に、ネットワーク１２を介して、撮像装置１１−１へ送信させる。
【０１８２】
ステップＳ３４１において、撮像装置１１−１の受信制御部７１は、撮像装置１１−２よりネットワーク１２を介して送信されてきた動画像の記録の開始の要求を、撮像装置１１−１のネットワークI/F３７に受信させる。撮像装置１１−１の受信制御部７１は、受信された動画像の記録の開始の要求を撮像装置１１−１の記録制御部５５に供給する。
【０１８３】
ステップＳ３４２において、撮像装置１１−１の記録制御部５５は、撮像装置１１−１において撮像されている映像を記録しているか否かを判定する。
【０１８４】
ステップＳ３４２において、撮像されている映像が記録されていないと判定された場合、処理は、ステップＳ３４３に進む。
【０１８５】
ステップＳ３４３において、撮像装置１１−１の記録制御部５５は、動画像の記録の開始の要求を取得したと同時に、撮像装置１１−１の撮像部３１が撮像している映像すなわち動画像のデータである動画像データの記録を撮像装置１１−１の記録部３５に開始させる。
【０１８６】
ステップＳ３４４において、撮像装置１１−１の表示制御部５２は、撮像装置１１−１の記録制御部７１における動画像データの記録の開始に応じて、撮像装置１１−１の表示部３４のユーザＢのウィンドウに「動画記録中！」のメッセージを表示させる。
【０１８７】
撮像装置１１−１における動画像の記録の処理は、撮像装置１１−２からの記録の終了の要求を受信するまで続けられる。
【０１８８】
ステップＳ３６３において、撮像装置１１−２の表示部３４に表示されているウィンドウ９２の「動画」の記録のボタンが再度押圧されることによって、撮像装置１１−２の操作入力部３３は、動画像の記録の終了の指示を入力する。撮像装置１１−２の入力受付部５３は、ユーザの操作によって入力された、動画像の記録の終了の指示を受け付ける。より具体的には撮像装置１１−２の入力受付部５３は、撮像装置１１−２の操作入力部３３から取得した、動画像の記録の終了の指示を示す信号に基づいて、撮像装置１１−１に対する動画像の記録の終了の要求を示す情報を、撮像装置１１−２の通信制御部５１に供給する。
【０１８９】
ステップＳ３６４において、撮像装置１１−２の送信制御部７２は、撮像装置１１−１に対する動画像の記録の終了の要求を示す情報に基づいて、動画像の記録の終了の要求を、撮像装置１１−２のネットワークI/F３７に、ネットワーク１２を介して、撮像装置１１−１へ送信させる。
【０１９０】
ステップＳ３４５において、撮像装置１１−１の受信制御部７１は、撮像装置１１−２よりネットワーク１２を介して送信されてきた動画像の記録の終了の要求を、撮像装置１１−１のネットワークI/F３７に受信させる。撮像装置１１−１の受信制御部７１は、受信された動画像の記録の終了の要求を撮像装置１１−１の記録制御部５５に供給する。
【０１９１】
ステップＳ３４６において、撮像装置１１−１の記録制御部５５は、動画像の記録の終了の要求に基づいて、動画像データの記録を撮像装置１１−１の記録部３５に終了させる。撮像装置１１−１の記録制御部５５は、作成された動画像データを撮像装置１１−１の通信制御部５１に供給する。ステップＳ３４６の後、処理は、ステップＳ３５２に進む。
【０１９２】
一方、ステップＳ３４２において、撮像されている映像が記録されていると判定された場合、処理は、ステップＳ３４７に進む。
【０１９３】
ステップＳ３４７において、撮像装置１１−１の時刻記録部５６は、撮像装置１１−１のネットワークI/F３７が動画像の記録の開始の要求を受信した時刻である記録開始時刻を記録する。
【０１９４】
ステップＳ３４８において、撮像装置１１−１の表示制御部５２は、撮像装置１１−１のネットワークI/F３７の動画像の記録の開始の要求の受信に応じて、撮像装置１１−１の表示部３４のユーザＢのウィンドウに「動画記録中！」のメッセージを表示させる。
【０１９５】
ステップＳ３４９において、撮像装置１１−１の受信制御部７１は、上述したステップＳ３６４を実行する撮像装置１１−２よりネットワーク１２を介して送信されてきた動画像の記録の終了の要求を、撮像装置１１−１のネットワークI/F３７に受信させる。
【０１９６】
ステップＳ３５０において、撮像装置１１−１の時刻記録部５６は、撮像装置１１−１のネットワークI/F３７が動画像の記録の終了の要求を受信した時刻である記録終了時刻を記録する。
【０１９７】
ステップＳ３５１において、撮像装置１１−１の記録制御部５５は、撮像装置１１−１の時刻記録部５６に記録されている記録開始時刻および記録終了時刻に基づいて、撮像装置１１−１の記録部３５に記録されている映像から、記録開始時刻から記録終了時刻までの動画像データを抽出することにより、動画像データを作成する。撮像装置１１−１の記録制御部５５は、作成された動画像データを撮像装置１１−１の通信制御部５１に供給する。
【０１９８】
ステップＳ３５２において、撮像装置１１−１の送信制御部７２は、ステップＳ３４３からステップＳ３４６までにおいて記録することにより作成された動画像データ、またはステップＳ３５１において抽出することにより作成された動画像データを、撮像装置１１−１のネットワークI/F３７に、ネットワーク１２を介して、撮像装置１１−２へ送信させる。
【０１９９】
ステップＳ３６５において、撮像装置１１−２の受信制御部７１は、撮像装置１１−１よりネットワーク１２を介して送信されてきた動画像データを、ネットワークI/F３７に受信させる。撮像装置１１−２の受信制御部７１は、受信された動画像データを撮像装置１１−２の記録制御部５５に供給する。
【０２００】
ステップＳ３６６において、撮像装置１１−２の記録制御部５５は、供給された動画像データを記録部３５に記録させる。
【０２０１】
ステップＳ３６７において、撮像装置１１−２の表示制御部５２は、記録された動画像データを基に、動画像データを代表する静止画像である代表画像を表示するための表示データを生成し、撮像装置１１−２の表示部３４に供給する。撮像装置１１−２の表示部３４は、供給された表示データに基づいて、動画像データの代表画像を表示し、撮像装置１１−２における処理は終了する。動画像データの代表画像は、例えば、撮像装置１１−２の表示部３４の静止画像表示部９５に表示される。また、撮像装置１１−２の表示部３４の静止画像表示部５５には、動画像データの代表画像だけでなく、その動画像自体が表示されるようにしてもよい。
【０２０２】
一方、ステップＳ３５２において、撮像装置１１−１が撮像装置１１−２に動画像データを送信した後、撮像装置１１−１における処理は、ステップＳ３５３に進む。
【０２０３】
ステップＳ３５３において、撮像装置１１−１の表示制御部５２は、撮像装置１１−２への動画像データの送信に応じて、撮像装置１１−１の表示部３４のユーザＢのウィンドウに表示されていた「動画記録中！」のメッセージを削除させ、処理は終了する。
【０２０４】
このようにして、撮像装置１１−２は、ストリームを送信してくる撮像装置１１−１に動画像の記録の要求を送信することで、記録の要求に応じた撮像装置１１−１からの動画像データを受信し、記録することができる。
【０２０５】
また、図１１のフローチャートで示される処理の例の場合、図１０のフローチャートで示される処理の例の場合と比較すると、動画像の記録の開始または終了の指示の入力から動画像データの記録の開始または終了までに多少の遅延が生じるが、より高画質かつ高音質な動画像データを記録することができる。
【０２０６】
以上のように、撮像装置１１は、受信しているストリームから得られる動画像データを記録することができる。
【０２０７】
なお、図１０の動画像の記録の処理の例と、図１１の動画像の記録の処理の例とは、例えば、操作入力部３３からのモード選択を示す入力によって、モード選択されるようにしてもよい。より具体的には、例えば、それぞれのモードを示すボタンを設けて選択されるようにしたり、１つのボタンを設けて長押しされることでモードが選択されるようにしたりする。また、それぞれのモードは、複数の撮像装置１１が接続されるネットワークの帯域によって自動で選択されるようにしてもよい。
【０２０８】
また、上述した説明において、撮像装置１１−２が、音声データまたは動画像データを記録する場合に、撮像装置１１−１に記録の開始の要求または記録の終了の要求を送信するとき、具体的には、図９のフローチャートのステップＳ２６２およびＳ２６４、並びに図１１のフローチャートのステップＳ３６２およびＳ３６４において、記録の開始の要求および記録の終了の要求に時間情報を含めるようにしてもよい。
【０２０９】
時間情報は、要求した時刻を基準として記録の開始の時刻を指定するか、または要求した時刻を基準として記録の終了の時刻を指定する情報である。より具体的には、例えば、時間情報は、撮像装置１１−１が記録の開始の要求または記録の終了の要求を受信した時刻から、どのくらい前の時刻に対する記録の開始の要求または記録の終了の要求であるかを表す情報である。
【０２１０】
図１２は、記録を要求するストリームに対するコンテンツの種類が動画像または音声である場合の、撮像装置１１−２のおける、時間情報を含む記録の開始の要求および記録の終了の要求の送信の処理の例を示すフローチャートである。なお、時間情報は、例えば、撮像装置１１−２の表示部３４に重ねて設けられているタッチパネルである操作入力部３３としての図示せぬボタンより入力されることで、時間情報付加部５７に供給される。
【０２１１】
ステップＳ４０１において、撮像装置１１−２の時間情報付加部５７は、撮像装置１１−２の通信制御部５１に供給された撮像装置１１−１からのストリームに対する音声または動画像の記録の開始の要求を示す情報に、撮像装置１１−１が記録の開始の要求を受信した時刻から、どのくらい前の時刻に対する記録の開始の要求であるかを表す情報である時間情報を付加する。
【０２１２】
ステップＳ４０２において、撮像装置１１−２の送信制御部７２は、撮像装置１１−１に対する音声または動画像の記録の開始の要求を示す情報に基づいて、時間情報を含む音声または動画像の記録の開始の要求である記録開始要求を、撮像装置１１−２のネットワークI/F３７に、ネットワーク１２を介して、撮像装置１１−１へ送信させる。
【０２１３】
ステップＳ４０３において、撮像装置１１−２の時間情報付加部５７は、撮像装置１１−２の通信制御部５１に供給された撮像装置１１−１からのストリームに対する音声または動画像の記録の終了の要求を示す情報に、撮像装置１１−１が記録の開始の要求を受信した時刻から、どのくらい前の時刻に対する記録の終了の要求であるかを表す情報である時間情報を付加する。
【０２１４】
ステップＳ４０４において、撮像装置１１−２の送信制御部７２は、撮像装置１１−１に対する音声または動画像の記録の終了の要求を示す情報に基づいて、時間情報を含む音声または動画像の記録の終了の要求である記録終了要求を、撮像装置１１−２のネットワークI/F３７に、ネットワーク１２を介して、撮像装置１１−１へ送信させ、処理は終了する。
【０２１５】
このようにして、撮像装置１１−２は、撮像装置１１−１が記録の開始または終了の要求を受信した時刻から、どのくらい前の時刻に対する記録の開始または終了の要求であるかを表す時間情報を含む記録開始要求または記録終了要求を送信することができる。
【０２１６】
図１３は、記録を要求するストリームに対するコンテンツの種類が動画像または音声である場合の、撮像装置１１−１のおける、時間情報を含む記録の開始の要求および記録の終了の要求の受信の処理の例を示すフローチャートである。
【０２１７】
ステップＳ４２１において、撮像装置１１−１の受信制御部７１は、撮像装置１１−２よりネットワーク１２を介して送信されてきた、時間情報を含む音声または動画像の記録開始要求を、撮像装置１１−１のネットワークI/F３７に受信させる。撮像装置１１−１の受信制御部７１は、受信された音声または動画像の記録開始要求を撮像装置１１−１の記録制御部５５に供給する。
【０２１８】
ステップＳ４２２において、撮像装置１１−１の記録制御部５５は、記録開始要求を受信した時刻と、記録開始要求に含まれる時間情報に基づいて、音声データまたは動画像データの記録を撮像装置１１−１の記録部３５に開始させる。より具体的には、撮像装置１１−１の記録制御部５５は、記録開始要求を受信した時刻から記録開始要求の時間情報が表す時間だけ遡った時刻から、音声データまたは動画像データの記録を撮像装置１１−１の記録部３５に開始させる。なお、遡った時刻において、ユーザＡによって音声データまたは動画像データが記録されている場合、新たに記録を開始させない。
【０２１９】
ステップＳ４２３において、撮像装置１１−１の受信制御部７１は、撮像装置１１−２よりネットワーク１２を介して送信されてきた、時間情報を含む音声または動画像の記録終了要求を、撮像装置１１−１のネットワークI/F３７に受信させる。撮像装置１１−１の受信制御部７１は、受信された音声または動画像の記録終了要求を撮像装置１１−１の記録制御部５５に供給する。
【０２２０】
ステップＳ４２４において、撮像装置１１−１の記録制御部５５は、記録終了要求を受信した時刻と、記録終了要求に含まれる時間情報に基づいて、音声データまたは動画像データの記録を撮像装置１１−１の記録部３５に終了させる。より具体的には、撮像装置１１−１の記録制御部５５は、記録終了要求を受信した時刻から記録終了要求の時間情報が表す時間だけ遡った時刻で、音声データまたは動画像データの記録を撮像装置１１−１の記録部３５に終了させる。なお、遡った時刻において、ユーザＡによって音声データまたは動画像データが記録されている場合、その記録を終了させない。
【０２２１】
このようにして、撮像装置１１−１は、記録開始要求を受信した時刻から記録開始要求の時間情報が表す時間だけ遡った時刻から、記録終了要求を受信した時刻から記録終了要求の時間情報が表す時間だけ遡った時刻までの、音声データまたは動画像データを記録することができる。
【０２２２】
ここで、以下、適宜、時間情報をVALで表す。ただし、時間情報VALは０以上の整数である。
【０２２３】
すなわち、０である時間情報VALを含む、記録の開始の要求または記録の終了の要求は、要求を送信した時点での記録の開始、または記録の終了の要求である。また、現在の時刻を時刻５０とし、時刻５０に要求を送信した場合、１０である時間情報VALを含む、記録の開始の要求または記録の終了の要求は、時刻４０からの記録の開始、または記録の終了の要求である。
【０２２４】
図１４は、撮像装置１１−２からの、記録開始要求および記録終了要求に時間情報が含まれている場合の、撮像装置１１−１における記録の処理の例を説明する図である。
【０２２５】
図１４において、時刻０乃至６０における撮像装置１１−１の処理および撮像装置１１−２の記録開始要求および記録終了要求のタイミングが示されている。時間の単位は、例えば、秒とされ、１０分の１秒またはミリ秒などであってもよい。また、時刻０において、撮像装置１１−１から撮像装置１１−２へのストリーミング送信が開始されており、時刻０乃至３０の間および時刻４０乃至６０の間において、撮像装置１１−１のユーザであるユーザＡは撮像されている映像を撮像装置１１−１に記録させている。
【０２２６】
また、時刻５において、撮像装置１１−２から記録開始要求が送信され、時刻２５において、撮像装置１１−２から記録終了要求が送信されている。
【０２２７】
例えば、記録開始要求に０の時間情報VALが含まれ、記録終了要求に０の時間情報VALが含まれている場合、時刻５から時間情報VALで示される０秒だけ遡った時刻５からの記録の開始が要求され、時刻２５から時間情報VALで示される０秒だけ遡った時刻２５における記録の終了が要求されている。
【０２２８】
時刻５において、撮像装置１１−１は、ユーザＡによって映像の記録を継続して実行させられているので、時刻５からの記録の開始が要求されても、新たに記録を開始しない。
【０２２９】
また、時刻２５において、撮像装置１１−１は、ユーザＡによって映像の記録を継続して実行させられているので、時刻２５における記録の終了が要求されても映像の記録を終了しない。
【０２３０】
この場合、時刻５から時刻２５までの音声または動画像の音声データまたは動画像データが、撮像装置１１−１から撮像装置１１−２へ送信される。
【０２３１】
記録開始要求に５０の時間情報VALが含まれ、記録終了要求に５の時間情報VALが含まれる場合、時刻５０から時間情報VALで示される５０秒だけ遡った時刻−４５からの記録の開始が要求され、時刻２５から時間情報VALで示される５秒だけ遡った時刻２０における記録の終了が要求されている。
【０２３２】
しかしながら、時刻−４５にはストリーミングが開始されていないので、時刻−４５からの記録の開始の要求は、時刻０からの記録の開始の要求とみなされる。時刻０において、撮像装置１１−１は、ユーザＡによって映像の記録を開始させられているので、時刻０からの記録の開始が要求されても、その要求に応じた記録は開始させない。
【０２３３】
また、時刻２０において、撮像装置１１−１は、ユーザＡによって映像の記録を継続して実行させられているので、時刻２０における記録の終了が要求されても、記録を終了しない。
【０２３４】
この場合、時刻０から時刻２０までの音声または動画像の音声データまたは動画像データが、撮像装置１１−１から撮像装置１１−２へ送信される。
【０２３５】
記録開始要求に０の時間情報VALが含まれ、記録終了要求に２０の時間情報VALが含まれている場合、時刻５から時間情報VALで示される０秒だけ遡った時刻５からの記録の開始が要求され、時刻２５から時間情報VALで示される２０秒だけ遡った時刻５における記録の終了が要求されている。
【０２３６】
時刻５において、撮像装置１１−１は、ユーザＡによって映像の記録を継続して実行させられているので、時刻５からの記録の開始が要求されても、新たに記録を開始しない。
【０２３７】
また、時刻５において、撮像装置１１−１は、ユーザＡによって映像の記録を継続して実行させられているので、時刻５における記録の終了が要求されても、新たに記録を終了しない。
【０２３８】
この場合、記録開始時刻と記録終了時刻とが同時刻であり、その記録開始時刻から記録終了時刻までの音声または動画像はないので、撮像装置１１−１は、撮像装置１１−２に音声データまたは動画像データを送信しない。
【０２３９】
図１５は、撮像装置１１−２からの、記録開始要求および記録終了要求に時間情報が含まれている場合の、撮像装置１１−１における記録の処理の他の例を説明する図である。
【０２４０】
図１５において、図１４と同様に、時刻０乃至６０における撮像装置１１−１の処理および撮像装置１１−２の記録開始要求および記録終了要求のタイミングが示されている。図１５において、時間の単位は、秒である。また、時刻０において、撮像装置１１−１から撮像装置１１−２へのストリーミング送信が開始されており、時刻０乃至３０の間および時刻４０乃至６０の間において、撮像装置１１−１のユーザであるユーザＡは撮像されている映像を撮像装置１１−１に記録させている。
【０２４１】
また、時刻３５において、撮像装置１１−２から記録開始要求が送信され、時刻６５において、撮像装置１１−２から記録終了要求が送信されている。
【０２４２】
例えば、記録開始要求に０の時間情報VALが含まれ、記録終了要求に０の時間情報VALが含まれている場合、時刻３５から時間情報VALで示される０秒だけ遡った時刻３５からの記録の開始が要求され、時刻６５から時間情報VALで示される０秒だけ遡った時刻６５における記録の終了が要求されている。
【０２４３】
時刻３５乃至４０の間において、撮像装置１１−１は、ユーザＡによって映像の記録を実行させられていないので、時刻３５において新たに記録を開始し、時刻４０まで記録を継続する。
【０２４４】
また、時刻６０乃至６５の間において、撮像装置１１−１は、ユーザＡによって映像の記録を実行させられていないので、時刻６５における記録の終了の要求に応じて、時刻６０から時刻６５までの間、引き続き映像を記録し、時刻６５において記録を終了する。
【０２４５】
この場合、時刻３５から時刻６５までの音声また動画像の音声データまたは動画像データが、撮像装置１１−１から撮像装置１１−２へ送信される。
【０２４６】
記録開始要求に５０の時間情報VALが含まれ、記録終了要求に５の時間情報VAL含まれている場合、時刻３５から時間情報VALで示される５０秒だけ遡った時刻−１５からの記録の開始が要求され、時刻６５から時間情報VALで示される５秒だけ遡った時刻６０における記録の終了が要求されている。
【０２４７】
しかしながら、時刻−１５にはストリーミングが開始されていないので、時刻−１５からの記録の開始の要求は、時刻０からの記録の開始の要求とみなされる。時刻０において、撮像装置１１−１は、ユーザＡによって映像の記録を開始させられているので、時刻０からの記録の開始が要求されても、その要求に応じた記録は開始されない。
【０２４８】
また、時刻６０において、撮像装置１１−１は、ユーザＡによって映像の記録を終了させられ、また、時刻６０における記録の終了が要求されているので、記録を終了する。
【０２４９】
この場合、時刻０乃至３０および時刻３５乃至６０の音声または動画像の音声データまたは動画像データが、撮像装置１１−１から撮像装置１１−２へ送信される。すなわち、時刻３０乃至３５については、映像が記録されず、映像のデータが存在しないので、時刻０乃至６０の区間から時刻３０乃至３５の区間を除いた区間の音声データまたは動画像データが送信されることになる。
【０２５０】
このようにして、撮像装置１１−２は、過去に遡っての記録の要求やストリーミング受信終了後の記録の要求を送信することができる。例えば、撮像装置１１−２のユーザＢが、撮像装置１１−１からストリーミング受信している映像に対して、１０秒前からの記録を開始したい場合、記録開始要求の時間情報VAL＝１０とすることで、その要求は実現される。また、例えば、ストリーミング受信終了後、撮像装置１１−１で記録されていた映像が全て欲しい場合、記録開始要求の時間情報VALを十分大きな値とし、記録終了要求の時間情報VAL＝０とすることで、その要求は実現される。
【０２５１】
図１６は、撮像装置１１−２の表示部３４の表示の他の例である。ウィンドウ９１の「静止画」、「音声」、および「動画」のボタンの上側に、メッセージを入力するための「いいねぇ」、「なに？」、「やったー」、および「わーい」のメッセージの入力ボタンと、例えば、「こっち向いて」と書き込まれている手書き用のパネルとが設けられている。
【０２５２】
「いいねぇ」、「なに？」、「やったー」、または「わーい」のメッセージの入力ボタンを、ユーザＢが指またはペンで押圧すると、表示部３４に重ねて設けられているタッチパネルである操作入力部３３から、押圧されたメッセージの入力ボタンに応じた信号が制御部３６に供給される。制御部３６は、ネットワーク１２を介して、押圧された入力ボタンに応じたメッセージを、撮像装置１１−１、撮像装置１１−３、若しくは撮像装置１１−４のいずれか、または全部に送信する。
【０２５３】
手書き用のパネルに、ユーザＢがペンで「こっち向いて」などのメッセージを書き込むと、表示部３４に重ねて設けられているタッチパネルである操作入力部３３から、書き込まれたメッセージのイメージの信号が制御部３６に供給される。制御部３６は、ネットワーク１２を介して、イメージであるメッセージを、撮像装置１１−１、撮像装置１１−３、若しくは撮像装置１１−４のいずれか、または全部に送信する。
【０２５４】
また、ウィンドウ９２には、ユーザＡの操作する撮像装置１１−１から、入力ボタンまたは手書き用のパネルにより入力された「やったー」のメッセージが表示されている。同様に、ウィンドウ９４には、ユーザＤの操作する撮像装置１１−４から、入力ボタンまたは手書き用のパネルにより入力された「かわいいねぇ」のメッセージが表示されている。このような構成によれば、例えば離れたところにいるユーザ同士の間で、簡単にメッセージを交換し、コミュニケーションを図ることができる。
【０２５５】
なお、上述した説明において、撮像装置１１−１がストリーミング送信し、撮像装置１１−２がストリーミング受信するものとして説明したが、撮像装置１１−１乃至１１−４のそれぞれが相互に送信または受信を行うことができる。
【０２５６】
図１７は、本発明の一実施の形態である撮像装置の他の例を示す図である。
【０２５７】
撮像装置１１−２乃至１１−４および撮像装置１１１は、予め認証を行い、有線または無線のLANなどのネットワーク１２を介して相互に接続されている。図１５において、撮像装置１１−２乃至１１−４は、それぞれが撮像している映像を他の撮像装置に対して送信し、他の撮像装置から送信されてくる映像を受信する。また、撮像装置１１１は、自分自身が撮像している映像の他の撮像装置への送信のみを行う。
【０２５８】
図１８は、本発明の一実施の形態である撮像装置のさらに他の例を示す図である。
【０２５９】
撮像装置１１−２乃至１１−４および撮像装置１３１は、予め認証を行い、有線または無線のLANなどのネットワーク１２を介して相互に接続されている。図１６において、撮像装置１１−２乃至１１−４は、それぞれが撮像している映像を他の撮像装置に対して送信し、他の撮像装置から送信されてくる映像を受信する。また、撮像装置１３１は、他の撮像装置から送信されてくる映像の受信のみを行う。
【０２６０】
このように、撮像装置１１が接続される構成として、送信のみを行う撮像装置、または受信のみを行う撮像装置が混在して接続されるようにしてもよい。
【０２６１】
なお、上述した説明では、撮像装置において撮像されている映像がストリーミング配信されるものとして説明してきたが、その撮像装置において、予め記録されている静止画像、音声、または動画像が再生表示されている場合、再生表示されている静止画像、音声、または動画像をストリーミング配信するようにしてもよい。さらに、他の撮像装置において、ストリーミング配信されている静止画像、音声、または動画像が記録されている場合、静止画像、音声、または動画像の再生の終了とともに、他の撮像装置における記録が自動的に終了するようにしてもよい。
【０２６２】
以上のように、複数の撮像装置とネットワークを介して接続されるようにした場合には、ネットワークに接続された複数の撮像装置において撮像されている映像を表示することができる。また、撮像装置において取得されているコンテンツのうちの、撮像されている動画像の画像データであるストリームであって、撮像装置のそれぞれから送信されてくるストリームの受信を制御し、受信されているそれぞれのストリームによる、それぞれの動画像の表示を制御し、複数の撮像装置のそれぞれにおいて取得されているコンテンツのそれぞれについての記録の指示を受け付け、記録の指示されたコンテンツのデータであるコンテンツデータの記録を制御するようにした場合には、ネットワークに接続された複数の撮像装置において取得されているコンテンツのうち、所望の撮像装置で取得されている所望のコンテンツを記録することができる。
【０２６３】
上述した一連の処理は、ハードウェアにより実行させることもできるし、ソフトウェアにより実行させることもできる。一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば汎用のパーソナルコンピュータなどに、プログラム記録媒体からインストールされる。
【０２６４】
コンピュータにインストールされ、コンピュータによって実行可能な状態とされるプログラムを格納するプログラム記録媒体は、図２に示すように、磁気ディスク（フレキシブルディスクを含む）、光ディスク（CD-ROM(Compact Disc-Read Only Memory)、DVD(Digital Versatile Disc)を含む）、光磁気ディスクを含む）、もしくは半導体メモリなどよりなるパッケージメディアであるリムーバブルメディア３９、または、プログラムが一時的もしくは永続的に格納される図示せぬROMや、記録部３５を構成するハードディスクなどにより構成される。プログラム記録媒体へのプログラムの格納は、必要に応じてルータ、モデムなどのインターフェースである図示せぬ通信部を介して、ローカルエリアネットワーク、インターネット、デジタル衛星放送といった、有線または無線の通信媒体を利用して行われる。
【０２６５】
なお、本明細書において、プログラム記録媒体に格納されるプログラムを記述するステップは、記載された順序に沿って時系列的に行われる処理はもちろん、必ずしも時系列的に処理されなくとも、並列的あるいは個別に実行される処理をも含むものである。
【０２６６】
なお、本発明の実施の形態は、上述した実施の形態に限定されるものではなく、本発明の要旨を逸脱しない範囲において種々の変更が可能である。
【図面の簡単な説明】
【０２６７】
【図１】本発明の一実施の形態である撮像装置の例を示す図である。
【図２】撮像装置の構成の例を示すブロック図である。
【図３】撮像装置における映像のストリームの送信および受信の処理を説明するフローチャートである。
【図４】表示部の表示の例を説明する図である。
【図５】表示部の表示の他の例を説明する図である。
【図６】静止画像の記録の処理の例を説明するフローチャートである。
【図７】静止画像の記録の処理の他の例を説明するフローチャートである。
【図８】音声の記録の処理の例を説明するフローチャートである。
【図９】音声の記録の処理の他の例を説明するフローチャートである。
【図１０】動画像の記録の処理の例を説明するフローチャートである。
【図１１】動画像の記録の処理の他の例を説明するフローチャートである。
【図１２】時間情報を含む記録の要求の送信の処理の例を示すフローチャートである。
【図１３】時間情報を含む記録の要求の受信の処理の例を示すフローチャートである。
【図１４】記録の要求に時間情報が含まれたときの撮像装置における記録の処理の例を説明する図である。
【図１５】記録の要求に時間情報が含まれたときの撮像装置における記録の処理の他の例を説明する図である。
【図１６】表示部の表示のさらに他の例を説明する図である。
【図１７】本発明の一実施の形態である撮像装置の他の例を示す図である。
【図１８】本発明の一実施の形態である撮像装置のさらに他の例を示す図である。
【符号の説明】
【０２６８】
１１，１１−１乃至１１−４  撮像装置，  ３１  撮像部，  ３２  音声入出力部，  ３３  操作入力部，  ３４  表示部，  ３５  記録部，  ３６  制御部，  ３７  ネットワークI/F，  ３８  ドライブ，  ３９  リムーバブルメディア，  ５１  通信制御部，  ５２  表示制御部，  ５３  入力受付部，  ５４  データ作成部，  ５５  記録制御部，  ５６  時刻記録部，  ５７  時間情報付加部，  ７１  受信制御部，  ７２  送信制御部
【図１】
2008005199.tif 000003
【図２】
2008005199.tif 000004
【図３】
2008005199.tif 000005
【図４】
2008005199.tif 000006
【図５】
2008005199.tif 000007
【図６】
2008005199.tif 000008
【図７】
2008005199.tif 000009
【図８】
2008005199.tif 000010
【図９】
2008005199.tif 000011
【図１０】
2008005199.tif 000012
【図１１】
2008005199.tif 000013
【図１２】
2008005199.tif 000014
【図１３】
2008005199.tif 000015
【図１４】
2008005199.tif 000016
【図１５】
2008005199.tif 000017
【図１６】
2008005199.tif 000018
【図１７】
2008005199.tif 000019
【図１８】
2008005199.tif 000020